(57)【要約】【課題】  共同溝ボックスの有効幅を可能な限り小さくできるように、かつ幹線系ケーブルと配線系ケーブル等を個別に整然と収容できるように改良して、ボックス自体のコンパクト化は勿論のこと、ケーブルの分岐接続作業の合理化にも寄与できるようにする。【解決手段】  直方体であるボックス本体１の短辺側の相対向した両側壁部２ａ，２ｃに幹線系ケーブルと配線系ケーブルのケーブル管路Ｃ，ｃをそれぞれ挿着するダクトスリーブ３，４が取り付けられており、ボックス本体１の長辺側の相対向した側壁部２ｂ、２ｄの片方の側壁部２ｂの内壁面部は上縁寄り部分を段落部５に形成して、段落部５には、段落部５の奥壁面５ａとの間に間隙ａを設けた状態で、クロージャの支持金物を受け止める受け金物６が上記内壁面部と面一に取り付けられており、ボックス本体１内にはケーブル管路Ｃ，ｃより引き出されたケーブルを仕切る仕切り部材８を備えている。【選択図】  図１
2005117877.tif 000002
【特許請求の範囲】
【請求項１】
直方体であるボックス本体の短辺側の相対向した両側壁部に幹線系ケーブルと配線系ケーブルの両ケーブル管路をそれぞれ挿着するダクトスリーブが取り付けられている一方、ボックス本体の長辺側の相対向した側壁部の片方の側壁部の内壁面部は上縁寄り部分を段落部に形成して、この段落部には、該段落部の奥壁面との間に間隙を設けた状態で、クロージャの支持金物を受け止める受け金物が上記内壁面部と面一に取り付けられており、また、ボックス本体内には上記両ケーブル管路より引き出されたケーブルを仕切る仕切り部材を備えていることを特徴とする電線の共同溝ボックス。
【請求項２】
ボックス本体はレジン（樹脂）コンクリート製であることを特徴とする請求項１記載の電線の共同溝ボックス。
【請求項３】
双方のダクトスリーブは、側壁部の上下中心線から左右に位置するように、水平方向へそれぞれずらして取り付けられていることを特徴とする請求項１又は２記載の電線の共同溝ボックス。
【発明の詳細な説明】
【技術分野】
【０００１】  本発明は、地下に敷設された情報通信ケーブル等の多種の電線の各需要家等への引込みを行なう分岐接続作業のために、地中に設けられている電線の共同溝ボックスに関する。
【背景技術】
【０００２】  文献により例示するまでもなく、地下に敷設された情報通信ケーブル等の分岐接続作業は歩道や車道等の道路（主に歩道）下に埋設された共同溝ボックスを利用して行なわれており、この共同溝ボックス内にはケーブル管路より引き出されたメタルケーブル、光ケーブル、同軸ケーブル等の多種のケーブルが収容されていて、それぞれのケーブル専用のクロージャやタップオフを用いて各需要家側への分岐接続作業を行なっている。分岐接続作業は共同溝ボックス内に作業員が入って行なっていたので、該ボックスはその作業スペースの分だけ大型化する必要があった。通常、共同溝ボックスは、該ボックス内壁面部の一つに突設されている、例えばクロージャを載せて固定するための受け金物の長さ２００ｍｍに作業用空間として幅５００ｍｍを加えた、７００ｍｍが最小幅として設計されている。【０００３】  一方、共同溝ボックスの設置に際しては、該設置個所に埋設されている水道管やガス管が障害となることが多くそれら障害物の移設という問題が生じて、その移転工事等による工期の長期化と相俟って共同溝ボックスの施工コストに大きな影響を与えることになる。このような問題から回避するために共同溝ボックスの幅をできるだけ小さくする試みの一つとして、クロージャを共同溝ボックス内の常設位置から上方へ引き上げ、地面上に出た引き上げ位置にクロージャを支持できるようにして、作業員が地上側にいてケーブルの分岐接続作業ができるようにするクロージャ支持金物が提案されている。ここで、クロージャとは通常の情報通信系ケーブルの分岐接続に用いる機器であり、また、タップオフはＣＡＴＶの剛性が高い同軸ケーブル等の分岐接続に用いる機器である。
【発明の開示】
【発明が解決しようとする課題】
【０００４】  ところで、作業員が地上側にいてケーブルの分岐接続作業ができる共同溝ボックスは、ボックスの幅を小さくできる反面、分岐接続作業を行なうクロージャの上方移動時、またクロージャを下降させる復帰時に該ボックス内に輻輳して収容されている多種のケーブルが絡み、特に硬い（剛性が高い）同軸ケーブルに絡んだケーブルのクロージャは引き上げが容易にできなくなって、分岐接続作業は徒に煩雑化して作業性が極端に悪くなるという問題がある。また、共同溝ボックスは、狭隘な歩道幅員への適用が可能であるように、その幅員はできるだけ小さくして軽量・コンパクトな構造のものに構成する必要もある。なお、共同溝ボックスの内壁面の一面部には、該内壁面部より若干突き出た状態で、クロージャの支持金物を受け止める細長い平鋼製の受け金物が取り付けられている。【０００５】  本発明は上記問題を解決するものであって、その目的は、共同溝ボックスに通常の情報通信系ケーブル群と硬い同軸ケーブル等を個別に整然と収容できるように、かつ、クロージャの支持金物を受け止める受け金物を共同溝ボックスの内壁面部と面一に設けるようにして、該ボックスの有効幅が可能な限り小さくなるように改良して、ボックス自体のコンパクト化は勿論のこと、ケーブルの分岐接続作業の合理化にも寄与できる電線の共同溝ボックスを提供することにある。また、他の目的は幹線系ケーブルと配線系ケーブルの敷設及び分岐接続作業が容易にできるように改良した共同溝ボックスを提供することにある。
【課題を解決するための手段】
【０００６】  上記目的を達成するために、本発明の特徴とする電線の共同溝ボックスは、直方体であるボックス本体の短辺側の相対向した両側壁部に幹線系ケーブルと配線系ケーブルの両ケーブル管路をそれぞれ挿着するダクトスリーブが取り付けられている一方、ボックス本体の長辺側の相対向した側壁部の片方の側壁部の内壁面部は上縁寄り部分を段落部に形成して、この段落部には、該段落部の奥壁面との間に間隙を設けた状態で、クロージャの支持金物を受け止める受け金物が上記内壁面部と面一に取り付けられており、また、ボックス本体内には上記両ケーブル管路より引き出されたケーブルを仕切る仕切り部材を備えている構成である。【０００７】  この電線の共同溝ボックスの上記構成において、双方のダクトスリーブは、側壁部の上下中心線から左右に位置するように、水平方向へそれぞれずらして取り付けられていること（従来は上下中心線上に位置している）がケーブルの分岐接続作業を容易にする上で好ましい。また、ボックス本体は強度の面からレジン（樹脂）コンクリート製とすることによって、セメントコンクリート製のものが必要とする壁厚１１０ｍｍに対し６０ｍｍすることが可能となり、これによって製品の外寸法が合計１００ｍｍ小型化でき、狭隘な道路での支障物移転を必要としない埋設工事ができる。
【発明の効果】
【０００８】  上記のように構成されている本発明の共同溝ボックスによれば、有効幅員は地下障害物を避けて埋設できる小幅のものに構成されるため、既設の生活用管路の移転工事は大幅に減少させることが可能となってコストダウンを達成できる。また、ボックス本体内には、例えば取り扱い難いケーブル等の剛性が高いケーブルを他の配線系ケーブルと仕切って整然と収容できるため、ケブル同士の輻輳・干渉を防止し得て、クロージャの上方への移動による配線系ケーブルの分岐接続作業は容易にできる。
【発明を実施するための最良の形態】
【０００９】  以下に、本発明を実施する具体的形態を図面を参照しながら説明する。図１〜図２において、直方体であるボックス本体１はセメントの代わりにポリエステルを用いた高強度材料であるレジン（樹脂）コンクリート製であって、ボックス本体１の短辺側の相対向した側壁部２ａ，２ｃには幹線系ケーブルと配線系ケーブルのケーブル管路Ｃ，ｃをそれぞれ挿着するダクトスリーブ３，４が取り付けられており、また、長辺側の相対向した側壁部２ｂ、２ｄの片方の側壁部２ｂ（需要家等へのケーブル引込み側）の内壁面部は上縁寄り部分が段落部（奥行きが２５ｍｍ程度の凹み部）５に形成されている。【００１０】  ダクトスリーブ３，４は、側壁部２ａ，２ｃの上下中心線から左右に位置するようにして、水平方向へそれぞれずらして取り付けられており、ダクトスリーブ４は他方のダクトスリーブ３より高くして設けられていることがケーブルの分岐接続作業を容易にする上で好ましい。段落部５には、該段落部５の奥壁面５ａとの間に間隙ａを設けた状態で、クロージャの支持金物（図３を参照して後述する）を受け止める受け金物６がボルト７ａとナット７ｂ及びスペーサｓを用いて取り付けられている。即ち、段落部５の奥部にはナット７ｂが、ボックス本体１の成形時にいわゆるインサート成形法によって、該段落部５の奥壁面５ａと面一の状態でボックス本体１に埋設されている。【００１１】  受け金物６とスペーサｓにはボルト７ａの挿通穴（バカ穴）が設けられており、この挿通穴から差し込んだボルト７ａをスペーサｓを介してナット７ｂに螺合することによって、受け金物６は、段落部５の奥壁面５ａとの間に間隙ａを形成して、側壁部２ｂの内壁面部とは面一の状態で段落部５に固定できることになるが、受け金物６の固定はアンカーボルト等の他の手段を用いてもよいことは勿論である。受け金物６は厚さが９ｍｍ程度の細長い平鋼製であって、受け金物６にはクロージャの支持金物を所要の受け止め位置に止着するために複数個の止め穴６ａ（バカ穴）が設けられているいる。また、ボックス本体１内には上記ケーブル管路Ｃ、ｃより引き出されたケーブルを仕切る仕切り部材８が設けられている。【００１２】  図１において、仕切り部材８はボックス本体１の長手方向に沿って該ボックス本体１の底部に取り付けた門形バー状のものが示されているが、これはケーブルを仕切ることができる部材であれば他の形状のものでもよい。また、受け金物６が設けられている内壁面部と対向した側壁部２ｄの内壁面部には、図示省略したが、タップオフを取り付ける短冊状の金物を間隔を置いて垂直に複数個取り付け、幹線系ケーブルを他のケーブルとは反対側で分岐接続できるように実施することも可能であり、その内壁面部には上記短冊状の金物ごとに該短冊状の金物と対応した形状の段落部（図２の破線部分）９を並設して、これらの段落部９に、前述した受け金物６と同様に間隙を設けるようにして、短册状の金物を取り付ける。図中、符号１０は逆止弁付きの排水口を示している。【００１３】  図３において、クロージャ１１は支持台１２を介して支持金物１３上に取付けられており、支持金物１３の上下両端部（支持金物１３の下半部側は省略）には受け金物６に掛け止めで��る逆さＵの字状の嵌合部１４が固定されている。図示の場合は上端側の嵌合部１４が支持金物６に掛け止められていて、クロージャ１１は共同溝ボックス（ボックス本体１）内の常設位置に支持されている状態であり、嵌合部１４に設けられている止めピン１５を受け金物６の止め穴６ａに差し込んで、受け金物６の左右への移動を防止する仕組になっている。なお、ケーブルの分岐接続作業を行なう場合は、支持金物１２を上方へ引き上げて、下端部側の嵌合部を受け金物６に上記のようにして掛け止める。【００１４】  このように構成されている本共同溝ボックスは、必要に応じてクロージャとタップオフを相対向した内壁面部を利用して反対側でそれぞれ支持することが可能であり、その横幅は肉厚を必要とする上部側（段落部５，８が設けられている部分）では７００ｍｍ、それより下側の部分では６２０ｍｍまで小型化できた。なお、本共同溝ボックスをクロージャ或いはタップオフの片方だけを支持できるようにして実施する場合は、上記横幅を更に縮小することも可能である。
【図面の簡単な説明】
【００１５】
【図１】  本発明の実施の形態を一部切り欠いて示す斜視図である。
【図２】  図１のＡ−Ａ線断面図である。
【図３】  図１に示す受け金物へのクロージャの支持状態を説明する図で、受け金物の下半部側を省略した部分斜視図である。
【符号の説明】
【００１６】  １はボックス本体
２ａ，２ｂ，２ｃ，２ｄは側壁部
３，４はダクトスリーブ
５は段落部
５ａは奥壁面
６は受け金物
６ａは止め穴
７ａはボルト
７ｂはナット
８は仕切り部材
１０は排水口
ａは間隙
Ｃ，ｃはケーブル管路
【図１】
2005117877.tif 000003
【図２】
2005117877.tif 000004
【図３】
2005117877.tif 000005